(57)【要約】【課題】撮影手段が適切に視線検出するように装置をセッティングした場合に、顔の位置に応じて装置の設置位置が大体決まってしまうため、装置の設置範囲が限られており、また、装置の移動が容易ではないので、入力者側が、前記装置の設置場所にある撮影手段が適切に視線検出できるような撮影範囲に合わせて、顔の位置を固定しなければならないという問題点を解決することである。【解決手段】情報提供手段と、前記情報提供手段による情報が表示される表示手段と、前記表示手段から離れた位置に配置された撮影手段と、前記撮影手段を保持する保持具とを具備してなる情報装置であって、前記保持具は透明材で構成されてなる情報装置。【選択図】図１
2012104070.tif 000002
【特許請求の範囲】
【請求項１】
情報提供手段と、
前記情報提供手段による情報が表示される表示手段と、
前記表示手段から離れた位置に配置された撮影手段と、
前記撮影手段を保持する保持具
とを具備してなる情報装置であって、
前記保持具は透明材で構成されてなる
ことを特徴とする情報装置。
【請求項２】
保持具で保持された撮影手段は複数個であることを特徴とする請求項１の情報装置。
【請求項３】
撮影手段で得られた画像から視線方向を検出する視線検出部と、
表示手段上に表示されている情報のうち視線方向の情報を移動表示する情報移動制御部と、
拡大表示する情報拡大表示部と、
拡大表示された情報を選択する情報入力決定部
からなる視線入力装置
を更に具備することを特徴とする請求項１、または、請求項２の情報装置。
【請求項４】
撮影手段で得られた画像から視線方向を検出する視線検出ステップと、
表示手段上に表示されている情報のうち視線方向の情報を移動表示する情報移動制御ステップと、
拡大表示する情報拡大表示ステップと、
拡大表示された情報を選択する情報入力決定ステップ
からなる視線入力方法
を具備することを特徴とする情報処理方法。
【請求項５】
情報装置に、
撮影手段で得られた画像から視線方向を検出する視線検出ステップと、
表示手段上に表示されている情報のうち視線方向の情報を移動表示する情報移動制御ステップと、
拡大表示する情報拡大表示ステップと、
拡大表示された情報を選択する情報入力決定ステップ
とを実行させるプログラム。
【請求項６】
請求項５のフログラムが記憶されてなるコンピュータ読み取り可能な記録媒体。
【発明の詳細な説明】
【技術分野】
【０００１】
本発明は、情報装置、情報処理方法、プログラム、及びコンピュータ読み取り可能な記録媒体に関する。
【背景技術】
【０００２】
情報提供手段と、前記情報提供手段による情報が表示される表示手段と、撮影手段とを具備してなる情報装置は、コンピュータの操作やコンピュータへの文字の入力のための視線入力装置として技術開発されている。主に、視線入力装置は重度に肢体が不自由な人にとって、キーボードやマウス、又は、身体の一部の僅かな動きを検出する検出器による入力が非常に困難な場合に、カメラなどにより撮影された入力者の顔画像から、ディスプレイ装置の表示画面上の文字などの情報への入力者の視線検出を行い、表示画面に表示される情報を選択入力する装置である。
【０００３】
製品化されている装置は赤外線等の光源を用いて視線方向を検出する手法を基にしている装置が多い。表示画面には、ある程度の量の情報が表示され、そのなかから１つの情報を入力者が視線を使って選択するようになっている。そのため、多数表示されている情報の１つ１つの情報が表示されている範囲は狭く、入力者が１つの情報を視線で捉えているとすると、視線が捉えている１つの情報を選択できるように視線方向の検出精度を高める技術が開発されている。
【０００４】
カメラは、視線方向の検出精度を高めるために、表示画面に対して、固定した場所に設置されている。ディスプレイの周りに配置されディスプレイと一体化しているか、ディスプレイ近辺で、入力者が表示画面を見るにあたり表示画面が見えなくならない位置に、入力中は固定されて配置されている。
【先行技術文献】
【特許文献】
【０００５】
【特許文献１】特許第４３９９６０７号公報
【特許文献２】特許第３６７３８３４号公報
【発明の概要】
【発明が解決しようとする課題】
【０００６】
前記情報装置では、カメラが適切に視線検出するように装置をセッティングした場合に、顔の位置に応じて装置の設置位置が大体決まってしまうため、装置の設置範囲が限られている。また、装置の移動が容易ではないので、入力者側が、前記装置の設置場所にあるカメラが適切に視線検出できるような撮影範囲に合わせて、顔の位置を固定しなければならないという問題点がある。
【０００７】
また、カメラが適切に視線検出するように装置をセッティングした場合に、ディスプレイは入力者の近辺に位置することになるが、入力者の近辺に位置する第三者が入力者の顔を見た場合、第三者からみて、ディスプレイは入力者の第三者に対する視線を遮るような位置にある場合が多く、入力者が第三者に視線を送ることができない。また、例えば、家族等が入力者の顔等を見ようとした場合に、入力者の顔等が装置に隠れ、家族等が入力者の顔等見ることが難しいという問題点がある。
【０００８】
また、装置は入力者の近辺に位置することになり、かつ、移動が容易でないため、家族等が入力者の介護をしようとする際に、邪魔になるという問題点がある。
【０００９】
従って、本発明が解決しようとする課題は、装置の設置範囲が限定される、顔の位置を固定する必要がある、入力者の顔等が装置に隠れる、装置が邪魔になるという上記問題点を解決することである。
【課題を解決するための手段】
【００１０】
前記の課題は、情報提供手段と、前記情報提供手段による情報が表示される表示手段と、前記表示手段から離れた位置に配置された撮影手段と、前記撮影手段を保持する保持具とを具備してなる情報装置であって、前記保持具は透明材で構成されてなることを特徴とする情報装置によって解決される。
【発明の効果】
【００１１】
本発明では、撮影手段をカメラ、表示手段をディスプレイ画面、情報提供手段をディスプレイ装置とした場合、カメラはディスプレイ画面から離れた透明な保持具に保持されており、入力者から見て保持具がディスプレイ画面上に位置して重なってしまっても、保持具を透して、ディスプレイ画面に表示されている情報を見ることは容易である。透明材にはプラスチック等を使用することにより、保持具は軽量で移動が容易である。したがって、入力者の顔の位置に応じて、カメラが適切に視線検出するように設置することは容易であり、情報装置の設置範囲が広くなり、入力者の顔の位置を固定する必要はない。
【００１２】
また、入力者の近辺に位置する第三者が入力者の顔を見た場合、第三者からみて、ディスプレイ画面は入力者の第三者に対する視線を遮るような位置に設置されておらず、保持具は透明なので、入力者が第三者に視線を送ることができる。また、例えば、家族等が入力者の顔等を見ようとした場合に、入力者の顔等が装置に隠れず、家族等が入力者の顔等見ること容易である。
【００１３】
また、保持具は入力者の近辺に位置することになるが、軽量で移動が容易なので、家族等が入力者の介護をしようとする際に、邪魔にならない。
【図面の簡単な説明】
【００１４】
【図１】本発明の情報装置１００の構成を示すブロック図
【図２】本発明の第１の実施形態における情報装置１００を用いて行われる視線入力の様子を示した模式図
【図３】画面全体に表示されている情報から入力者が１つの情報を選択するまでの例図
【図４】視線入力装置１１０の構成を示したブロック図
【図５】情報移動制御部１３０の処理手順を示しているフロー図
【図６】情報拡大表示部１４０の処理手順を示しているフロー図
【図７】情報入力決定部１５０の処理手順を示しているフロー図
【図８】決定画面表示処理にて表示される入力決定確認画面の例図
【図９】本発明の第２の実施形態における情報装置１００を用いて行われる視線入力の様子を示した模式図
【図１０】本発明の第３の実施形態における保持具の様子を示した模式図
【図１１】本発明の第３の実施形態における保持具の様子を示した模式図
【発明を実施するための形態】
【００１５】
以下、添付図面を参照しながら本発明の好適な実施形態について説明するが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属する。
【００１６】
（第１の実施形態）
図１は、本発明の情報装置１００の構成をブロック図で示している。
図１に示すように、情報装置１００は、情報提供手段１０と、前記情報提供手段による情報が表示される表示手段２０と、撮影手段３０と、視線入力装置１１０とを具備してなる情報装置である。
【００１７】
図２は、情報装置１００を用いて行われる視線入力の様子を示した模式図である。視線入力はカメラなどにより撮影された入力者の顔画像からディスプレイ装置の表示画面上の文字などの情報への入力者の視線検出を行い、表示画面に表示される情報を選択する入力方法である。
【００１８】
図２に示すように、情報装置１００は、情報提供手段１０と、前記情報提供手段による情報が表示される表示手段２０と、前記表示手段から離れた位置に配置された撮影手段３０と、前記撮影手段を保持し、透明材で構成されてなる保持具４０と、視線入力装置１１０とを具備してなる情報装置である。
図２では、情報提供手段１０にディスプレイ装置、表示手段２０にディスプレイ画面、撮影手段３０にカメラ、保持具４０に中空で透明な角枠を一例としており、ディスプレイ装置のディスプレイ画面上の情報を見る入力者１の顔がカメラで撮影され、視線の方向が視線入力装置１１０で計測される。
【００１９】
保持具４０は１個または複数の撮影手段３０を保持し、透明材で構成されており、保持具設置部材４１で設置される。
【００２０】
透明材はアクリルやポリカーボネートなどのプラスチック類やガラス類等が該当し、入力者１と表示手段２０の間に設置されても、入力者１が表示手段２０に表示されている情報を認識できる程度に平均可視光線透過率を有する透明材である。通常とり得る平均可視光線透過率は７０％以上である。
【００２１】
保持具４０に保持される１個または複数の撮影手段３０は小型軽量カメラを使用し、入力者１が表示手段２０であるディスプレイ画面を見るにあたり、カメラが視野の妨げになる範囲を最小限にする。
【００２２】
保持具４０に保持される１個または複数の撮影手段３０の固定方法はビス留めなど一般的な方法で良いが、入力者１が表示手段２０を見るにあたり、視野の妨げにならないようにする。
【００２３】
保持具４０の形状は、保持具４０に保持される撮影手段３０が複数の場合、中空で透明な角枠や透明な平板などであり、角型や丸型などの形状もとり得て、小型軽量カメラなどを保持しても変形しない程度に強度を有する。保持具４０に保持される撮影手段３０が１個の場合は、棒状などの形状をとり得て、表示手段２０の中心部分に位置するように設置できる。
【００２４】
保持具４０の保持具設置部材４１は、机などの平面への設置部材、保持具４０を自在に移動できるアーム形状の設置部材、天井から吊り、保持具４０を上下できる設置部材などがあり、それぞれ公知な部材で良い。
【００２５】
保持具４０の保持具設置部材４１への取り付け方法はビス留めなど一般的な方法で良い。
【００２６】
このように、この情報装置では、撮影手段は表示手段から離れた透明な保持具に設置されるので、入力者から見て保持具が表示手段上に位置して表示手段に表示されている情報と重なってしまっても、表示手段に表示されている情報を見ることは容易である。
【００２７】
透明材にはプラスチック類等を使用することにより、保持具は軽量で移動が容易である。したがって、入力者の顔の位置に応じて、入力者と表示手段のあいだの空間上で、撮影手段が適切に視線検出するように保持具を設置することは容易であり、装置の設置範囲が広くなる。
【００２８】
表示手段の設置範囲は入力者の視力次第で、撮影のために表示手段を入力者の近くに設置する必要がない。入力者と保持具の延長上から多少ずれた場所に表示手段を設置せざるを得ない場合でも、透明材からなる保持具なので、入力者が表示手段の情報を見る際に、保持具が重なっても視野の妨げにならない。また、保持具は軽量なので、移動が容易であり、顔の位置が少し移動しても、透明材からなる保持具を移動すれば良いので、顔の位置を固定し続ける必要はない。
【００２９】
また、入力者の近辺に位置する第三者が入力者の顔を見た場合、第三者からみて、表示手段は入力者の第三者に対する視線を遮るような位置に設置されておらず、保持具は透明なので、入力者が第三者に視線を送ることができる。また、例えば、家族等が入力者の顔等を見ようとした場合に、入力者の顔等が装置に隠れず、家族等が入力者の顔等見ること容易である。
【００３０】
また、保持具は入力者の近辺に位置することになるが、軽量で移動が容易なので、家族等が入力者の介護をしようとする際に、邪魔にならない。
【００３１】
第１の発明を主体にする第２の発明では、保持具で保持された撮影手段は複数個であることを特徴とする情報装置である。撮影手段を複数個にすることにより、撮影手段の撮影範囲を広くすることが可能で、表示手段、及び、保持具は撮影手段が１個の場合よりも広範囲に設置可能となる。
【００３２】
複数方向から入力者の顔を撮影するので、視線入力装置を具備する情報装置においては、視線入力装置の目検出及び表示手段への視線方向検出が確実になる。照明などの状況により、１個以上の撮影手段で視線検出が不能であっても、１個の撮影手段で視線検出が可能であれば、装置の使用が可能である。
【００３３】
使用中に入力者の顔の位置が移動した場合、撮影手段が１個であれば、その撮影手段に対して入力者の顔の位置が撮影範囲外になると、撮影手段の移動か、入力者の顔の移動かどちらかが必要になる。撮影手段を複数個数設置する場合、最低１個の撮影手段の撮影範囲に入っていれば、装置の移動、または、入力者の顔の移動なしに使用を継続できる。
【００３４】
一例として、図２に示すように、カメラは透明材で構成されている保持具４０の上下左右の４方向にそれぞれ１個、計４個が保持されている。上下左右の４個の撮影手段を配置し、４方向から入力者の顔を撮影することで、視線入力装置を具備する情報装置においては、視線入力装置の目検出及び表示手段への上下左右方向または中央方向への視線方向検出が確実になる。
【００３５】
保持具に保持される複数の撮影手段３０の適切な配置間隔は、入力者１と表示手段２０の間隔、入力者１と撮影手段３０間隔及び表示手段２０の表示画面の大きさによる。
【００３６】
なお、ここでは、撮影手段を上下左右の４個にする場合について説明したが、撮影手段の配置は上下左右でなくても良く、撮影手段の配置は角枠の各コーナー部分でも良い。撮影手段は４個以外でも良く、視線検出部の検出精度によっては、個数が少ない場合でも、視線検出は可能である。
【００３７】
第１の発明、または、第２の発明を主体にする第３の発明では、情報装置は、撮影手段で得られた画像から視線方向を検出する視線検出部と、表示手段上に表示されている情報のうち視線方向の情報を移動表示する情報移動制御部と、拡大表示する情報拡大表示部と、拡大表示された情報を選択する情報入力決定部からなる視線入力装置を更に具備することを特徴とする情報装置である。
【００３８】
視線入力装置１１０は、カメラで得られた入力者の顔画像から画面の上下左右方向または画面中央方向への視線を検出すると、画面全体に表示されている情報のうち、入力者が検出された視線方向に一致する画面の上下左右方向または画面中央方向の情報を見ていると判断する。
【００３９】
画面全体に表示されている情報のうち、検出された視線方向に一致する画面上の上下左右方向の情報を予め設定されている移動到達座標に向けて移動表示し、それに従って画面全体の情報の表示位置が移動する。例えば、検出された視線方向を画面右方向とし、予め設定されている移動到達座標を画面中央部とした場合、入力者が画面右方向の情報を見始めたと判断すると、画面の右方向の情報を画面中央部に向けて移動表示し、それに従って画面全体の情報の表示位置が移動する。
【００４０】
画面の上下左右方向または画面中央方向への視線を検出すると、画面全体に表示されている情報を拡大表示する。そして、拡大表示された情報が予め設定されている移動到達座標を中心として予め設定されている大きさまで拡大表示された場合、入力者がその情報を選択したと判断する。
【００４１】
図３は、画面全体に表示されている情報から入力者が１つの情報を選択するまでの例図である。画面上にあいうえお５０音表が情報として表示されている場合に、「き」という文字情報を選択するまでの画面の情報表示の変化を例図としている。予め設定されている移動到達座標は画面中央部としている。
【００４２】
図４は視線入力装置１１０の構成を示したブロック図である。
【００４３】
図４に示すように、視線入力装置１１０は、撮影手段３０で得られた画像から視線方向を検出する視線検出部１２０と、表示手段２０に表示されている情報のうち視線方向の情報を移動表示する情報移動制御部１３０と、情報を拡大表示する情報拡大表示部１４０と、拡大表示された情報を選択する情報入力決定部１５０からなる視線入力装置である。
【００４４】
視線検出部１２０、情報移動制御部１３０、情報拡大表示部１４０、情報入力決定部１５０は、視線入力装置１１０に内蔵されたコンピュータやＣＰＵがプログラムで規定された処理を実行することにより実現される。
【００４５】
視線検出部１２０は、撮影手段３０により撮影された入力者１の顔画像から目検出を行い、次に、入力者１の表示手段２０の上下左右方向または中央方向への視線方向検出を行う。視線方向検出がされた場合、前表示手段全体に表示されている情報のうち、入力者１は検出された視線方向に一致する前表示手段の上下左右方向または中央方向の情報を見ていると判断する。
【００４６】
この視線検出部１２０による目検出及び視線方向検出は、公知の方法で行えばよく、特に限定されるものではない。例えば、パターン認識であるHaar分類器(Paul Viola and Michael J.Jones."Rapid Object Detection using a Boosted Cascade of Simple Features".IEEE CVPR,2001)（Rainer  Lienhart and Jochen Maydt."An Extended Set of Haar-like Features for Rapid Object Detection".IEEE ICIP 2002,Vol.1,pp.900-903,Sep,2002）を用いて入力者１の顔画像から目検出を行い、次に、テンプレートマッチング法によって、入力者１の表示手段２０の上下左右方向または画面中央方向への視線方向検出を抽出する方法等がある。Haar分類器及びテンプレートマッチング法のプログラムの実装には代表的な画像処理をライブラリ化したOpenCV(Open Source Computer Vision Library)というオープンソースのコンピュータビジョンライブラリを用いることができる。
【００４７】
情報移動制御部１３０は、視線検出部１２０により検出された表示手段２０への上下左右方向の視線方向が与えられると、前表示手段上に表示されている情報のうち視線方向の情報を移動表示する。前表示手段全体に表示されている情報のうち、検出された視線方向に一致する前表示手段の上下左右方向の情報を、予め設定されている移動到達座標に向けて移動表示し、それに従って前表示手段全体の情報の表示位置が移動する。例えば、検出された視線方向を前表示手段の右方向とし、予め設定されている移動到達座標を前表示手段の中央部とした場合、入力者１が前表示手段右方向の情報を見始めたと判断し、前表示手段全体に表示されている情報のうち前表示手段の右方向の情報を前表示手段の中央部に向けて移動表示し、それに従って前表示手段全体の情報の表示位置が移動する。
【００４８】
図５のフロー図は情報移動制御部１３０の処理手順を示している。
【００４９】
図５の示すように、視線検出部１２０による視線検出処理（ステップ５０１、以下ステップを単にＳと記載する）が行われ、表示手段２０の上下左右方向への視線検出（Ｓ５０２）があった場合、前表示手段の上下左右方向の同一方向への視線検出画像数が一定時間内に一定カウント以上になっているか調べる（Ｓ５０３）。上記条件を満たしている場合に、情報移動表示を開始する（Ｓ５０４）。
【００５０】
情報拡大表示部１４０は、視線検出部１２０により検出された表示手段２０の上下左右方向または中央方向への視線が与えられると、前表示手段全体に表示されている情報を拡大表示する。
【００５１】
図６のフロー図は情報拡大表示部１４０の処理手順を示している。図６の示すように、視線検出部１２０による視線検出処理（Ｓ６０１）が行われ、表示手段２０の上下左右方向または中央方向への視線検出（Ｓ６０２）があった場合、前表示手段中央方向の視線検出画像数が一定時間内に一定カウント以上になっているか調べる（Ｓ６０３）。上記条件を満たしている場合に、情報拡大表示をする（Ｓ６０４）。上記条件を満たしていない場合に、上下左右方向の同一方向の視線検出画像数が一定時間内に一定カウント以上になっているか調べる（Ｓ６０５）。上記条件を満たしている場合に、情報拡大表示をする（Ｓ６０６）。上記条件を満たしていない場合に、この状態の画像数が一定時間内に一定カウント以上になっているか調べる（Ｓ６０７）。上記条件を満たしている場合に、情報拡大表示を戻す処理を行う（Ｓ６０８）。上記条件を満たしていない場合は、視線検出処理（Ｓ６０１）に戻る。
【００５２】
表示手段２０の上下左右方向または中央方向への視線検出（Ｓ６０２）がない場合、この状態の画像数が一定時間内に一定カウント以上になっているか調べる（Ｓ６０９）。上記条件を満たしている場合に、情報拡大表示を戻す処理を行う（Ｓ６１０）。上記条件を満たしていない場合は、視線検出処理（Ｓ６０１）に戻る。
【００５３】
情報入力決定部１５０は、拡大表示された情報が予め設定されている移動到達座標を中心として予め設定されている大きさまで拡大表示された場合、入力者１がその情報を選択したと判断する。
【００５４】
図７のフロー図は情報入力決定部１５０の処理手順を示している。図７の示すように、情報拡大表示部１４０による情報拡大処理（Ｓ７０１）が行われると、情報が予め設定されている大きさ以上に拡大表示されているか調べる（Ｓ７０２）。上記条件を満たしている場合に、決定画面表示処理にて入力決定確認画面を表示する（Ｓ７０３）。図８は入力決定確認画面の一例である。入力決定確認画面にて「はい」が選択された場合は（Ｓ７０４）、情報入力決定処理にて情報の入力が決定となり（Ｓ７０６）、表示画面を初期表示に戻し、次の情報入力に移る（Ｓ７０７）。入力決定確認画面にて「いいえ」が選択された場合は（Ｓ７０４）、情報拡大処理を戻す（Ｓ７０５）。
【００５５】
従来の視線入力装置においては、画面の情報を視線で選択する際に、画面の情報が狭い範囲に複数表示されている状態で入力を続けると、入力選択の際に入力者には視線をある程度固定する意識が働き、無意識に凝視してしまうため、瞬きが減るなど目が疲れやすくなる。入力手段に瞬きを利用している場合、普段無意識の瞬きを意識することになるが、瞬きには無意識な瞬きがありコントロールが困難なため、疲れやすい。
【００５６】
入力以前に、情報の表示サイズや入力者と画面の間隔によっては、視力の弱い、または、視力が正常でない入力者は、画面の情報を判別することが困難な場合がある。視線検出の際にも、自分の視線上の情報が画面上で強調されるが、その強調部分が画面上のどこなのか判別が困難となる。画面に表示されている全情報を判別できる視野を持っていない場合もある。
【００５７】
第３の発明の情報装置では、視線入力装置によって、画面の情報を選択していく過程で、表示される情報数が次第に少なくなり、画面の情報が拡大表示され、表示位置は予め定めた場所に移動していくので、予め定めた場所を画面中央付近とした場合は、最終的には視線入力をしたい情報は画面中央部に最も拡大されて表示され、視線入力をしたい情報以外の情報はわずかしか表示されていない。その結果、入力選択時に無意識に凝視してしまう動作を抑えており、目の疲れが少ない。視力の弱い、または、視力が正常でない入力者は、画面の情報を判別することが可能となるまで画面の情報を拡大して表示することができ、自分の視線が選択している情報が画面のどの情報なのかを理解するのが容易である。
【００５８】
また、入力者の視野が画面中央部分について欠けている場合は、移動表示の移動先の座標を、視野が欠けていない部分に設定することにより、視野欠落範囲を避けることが可能となり、視線入力が容易となる。
【００５９】
視線検出は画面の上下左右方向と画面中央部のみなので、視線検出精度はある程度低くても実用に足りることから、入力者と表示手段と保持具の位置について正確に設置されてなくても視線検出は可能である。その結果、第３の発明の情報装置においては、第１の発明、または、第２の発明の情報装置より、表示手段と保持具の設置範囲が広がるとともに、設置が容易になる。
【００６０】
なお、図３において、例として、文字入力について示したが、入力要素の表示配列にはパソコンのキーボードと同じ構成である表示配列も可能である。また、パソコンの一般画面での情報選択においても、視線入力装置によって情報選択可能である。
また、視線検出を画面の上下左右方向と画面中央部で記載したが、視線検出を画面の右上・右下・左上・左下の各コーナー方向と画面中央部としても良い。
また、図５、及び、図６の各ステップにおける分岐判定までの時間・カウントなど各種設定値は、初期値を持つが、入力者が設定できるようにしても良い。設定値を可変にすることで、各入力者の操作性の違いを吸収し、よりスムーズに利用することができる。
また、情報移動制御部１３０における移動速度、及び、情報拡大表示部１４０における拡大速度は、情報入力決定部１５０における図８の「はい」の選択が増えると、速くなり、「いいえ」の選択が増えると、遅くなるように一定の範囲で速度を調整できるようにしても良い。
【００６１】
第４の発明では、撮影手段で得られた画像から視線方向を検出する視線検出ステップと、表示手段上に表示されている情報のうち視線方向の情報を移動表示する情報移動制御ステップと、拡大表示する情報拡大表示ステップと、拡大表示された情報を選択する情報入力決定ステップからなる視線入力方法を具備することを特徴とする情報処理方法である。
【００６２】
上記構成の情報処理方法によれば、第３の発明の情報装置と同様の作用効果を得ることができる。
【００６３】
また、情報装置に、撮影手段で得られた画像から視線方向を検出する視線検出ステップと、表示手段上に表示されている情報のうち視線方向の情報を移動表示する情報移動制御ステップと、拡大表示する情報拡大表示ステップと、拡大表示された情報を選択する情報入力決定ステップとを実行させるプログラムを具備することにより、コンピュータを用いて第３の発明の情報装置と同様の作用効果を得ることができる。さらに、上記プログラムをコンピュータ読み取り可能な記録媒体に記憶させることにより、任意のコンピュータ上で上記プログラムを実行させることができる。さらに、上記プログラムはネットワークを介した他のコンピュータに記録することができる。
【００６４】
（第２の実施形態）
図９は、本発明の第２の実施形態における情報装置１００を用いて行われる視線入力の様子を示した模式図である。
【００６５】
図９に示すように、情報装置１００は、情報提供手段１０と、前記情報提供手段による情報が表示される表示手段２０と、前記表示手段から離れた位置に配置された撮影手段３０と、前記撮影手段を保持し、透明材で構成されてなる保持具４０と、視線入力装置１１０とを具備してなる情報装置である。また、情報提供手段１０は情報提供手段連結部材１１を使用して保持具４０に連結されており、表示手段２０は表示手段連結部材２２を使用して保持具４０に連結されており、保持具４０は保持具設置部材４１を使用して設置されている。
【００６６】
図９では、情報提供手段１０に小型プロジェクタ装置、表示手段２０に小型スクリーン画面、撮影手段３０にカメラ、保持具４０に中空で透明な角枠、保持具設置部材４１にアーム状の保持具設置部材、表示手段連結部材２２にフレキシブルな連結部材を一例としており、情報は小型プロジェクタ装置によって小型スクリーン画面に表示され、小型スクリーン画面を見る入力者１の顔がカメラで撮影され、視線の方向が視線入力装置１１０で計測される。
【００６７】
このように、この情報装置では、撮影手段を表示手段から離して、透明材からなる保持具に保持させると共に、小型プロジェクタ装置と小型スクリーン画面を連結することにより、視線入力装置以外の情報装置が一体となって軽量に構成される。寝返りなどで使用中に姿勢を変える必要が生じ入力者の顔の位置が大きく移動する場合に、従来の情報装置では情報装置の移動及び再設置に手間と時間がかかるが、この情報装置では、情報装置が一体となって軽量に構成されているので、情報装置の移動が簡単であり、再設置の必要はない。家族等が入力者の顔を見たい場合や介護をしようとする際に、一時的に装置を退避させて、その後、元に戻すことが容易にできる。
【００６８】
（第３の実施形態）
図１０、及び、図１１は、本発明の第３の実施形態における保持具の様子を示した模式図である。図１０、及び、図１１に示すように、保持具４０は撮影手段３０を保持し、透明材で構成され、かつ、４個の保持具コーナー部４２と４個の撮影手段保持部４３からなる保持具で、保持具コーナー部４２のサイズを変えることによって保持具４０のサイズが可変する保持具４０である。図１０は、４個の保持具コーナー部の辺長が短く、図１１は４個の保持具コーナー部の辺長が長いタイプの保持具を一例としている。
【００６９】
入力者１の姿勢や状態により、入力者１と表示手段２０の間隔、入力者１と保持具４０の間隔が大きく変わる場合がある。保持具４０に保持されている複数の撮影手段３０の適切な配置間隔は、入力者１と表示手段２０の間隔、入力者１と保持具４０の間隔及び表示手段２０の表示画面の大きさにより変化するので、複数の撮影手段３０の適切な配置間隔は入力者１の姿勢や状態により変化する。
【００７０】
複数の撮影手段３０が保持具４０に保持されて保持具４０自体の大きさが固定では、複数の撮影手段３０の適切な配置間隔の変化の範囲が大きい場合、撮影範囲を適切に設定することが困難になる。サイズが可変する保持具４０を使用することによって、撮影範囲を容易に設定することが可能になる。なお、保持具４０のサイズが固定でも、保持具４０に保持されている撮影手段３０の位置が調整可能で、配置間隔が可変であれば、同様の効果を生む。
【符号の説明】
【００７１】
１        入力者
１０      情報提供手段
１１      情報提供手段連結部材
２０      表示手段
２１      表示手段設置部材
２２      表示手段連結部材
３０      撮影手段
４０      保持具
４１      保持具設置部材
４２      保持具コーナー部
４３      撮影手段保持部
１００    情報装置
１１０    視線入力装置
１２０    視線検出部
１３０    情報移動制御部
１４０    情報拡大表示部
１５０    情報入力決定部
【図１】
2012104070.tif 000003
【図２】
2012104070.tif 000004
【図３】
2012104070.tif 000005
【図４】
2012104070.tif 000006
【図５】
2012104070.tif 000007
【図６】
2012104070.tif 000008
【図７】
2012104070.tif 000009
【図８】
2012104070.tif 000010
【図９】
2012104070.tif 000011
【図１０】
2012104070.tif 000012
【図１１】
2012104070.tif 000013